(57)【要約】【課題】録画予約時の操作負担の軽減を図るとともに、外部ディスプレイを利用することなく簡単に録画予約することが可能な番組録画装置を提供すること。【解決手段】番組録画装置は、１回の入力操作に基づき電源オンと録画予約モードの実行とを指示する録画予約指示手段と、録画予約情報を表示する表示手段と、録画予約情報の設定操作に基づき録画予約情報を設定する録画予約設定手段と、前記録画予約指示手段による電源オンと前記録画予約モードの実行及び前記録画予約設定手段による録画予約情報の設定に基づき前記表示手段による設定録画予約情報の表示を制御し、前記設定録画予約情報を登録し、前記設定録画予約情報に基づき録画を制御する録画制御手段と、前記録画制御手段の録画制御に基づき番組を録画する録画手段と、を備える。【選択図】      図２
2010166321.tif 000002
【特許請求の範囲】
【請求項１】
１回の入力操作に基づき電源オンと録画予約モードの実行とを指示する録画予約指示手段と、
録画予約情報を表示する表示手段と、
録画予約情報の設定操作に基づき録画予約情報を設定する録画予約設定手段と、
前記録画予約指示手段による電源オンと前記録画予約モードの実行及び前記録画予約設定手段による録画予約情報の設定に基づき前記表示手段による設定録画予約情報の表示を制御し、前記設定録画予約情報を登録し、前記設定録画予約情報に基づき録画を制御する録画制御手段と、
前記録画制御手段の録画制御に基づき番組を録画する録画手段と、
を備えたことを特徴とする番組録画装置。
【請求項２】
チャンネル番号選局操作又は前記設定録画予約情報に含まれた予約チャンネル番号に基づきチャンネル番号を選局する選局手段と、
各番組のチャンネル番号、番組放送日時、及び番組タイトルを含む番組案内情報を取得する取得手段と、を備え、
前記録画制御手段は、前記選局手段によるチャンネル番号選局履歴、現在日時、前記番組案内情報に基づき録画予約候補情報を生成し、前記録画予約指示手段による電源オンと前記録画予約モードの実行に基づき前記表示手段による前記録画予約候補情報の表示を制御し、前記録画予約設定手段による録画予約情報の設定に基づき前記表示手段による前記録画予約候補情報の表示を前記設定録画予約情報の表示へ更新する、
ことを特徴とする請求項１に記載の番組録画装置。
【請求項３】
前記録画制御手段は、前記番組案内情報の中から、直前に選局されたチャンネル番号で且つ現在日時で放送されている番組タイトルを抽出し、この抽出番組タイトルを含む前記録画予約候補情報を生成し、前記表示手段による前記録画予約候補情報の表示を制御することを特徴とする請求項２に記載の番組録画装置。
【請求項４】
前記録画制御手段は、前記番組案内情報の中から、前記録画予約情報に含まれた予約チャンネル番号で且つ録画日時に該当する番組タイトルを抽出し、この抽出番組タイトルを含む前記設定録画予約情報を生成し、前記表示手段による前記設定録画予約情報の表示を制御することを特徴とする請求項２に記載の番組録画装置。
【請求項５】
前記録画制御手段は、前記録画手段による番組録画中であっても、前記録画予約設定手段による録画予約情報の設定に基づき前記表示手段による前記設定録画予約情報の表示を制御し、前記設定録画予約情報を登録することを特徴とする請求項１に記載の番組録画装置。
【請求項６】
録画番組を再生する再生手段を備え、
前記録画制御手段は、前記再生手段による番組再生中であっても、前記録画予約設定手段による録画予約情報の設定に基づき前記表示手段により設定録画予約情報を表示し、前記設定録画予約情報を登録することを特徴とする請求項１に記載の番組録画装置。
【請求項７】
録画予約情報を外部表示部に対して出力するための出力手段を備え、
前記表示手段により表示される前記録画予約情報は、少なくとも予約番組のタイトルの一部を含み、
前記外部表示部により表示される前記録画予約情報は、予約番組のタイトルの全てを含むことを特徴とする請求項１に記載の番組録画装置。
【請求項８】
１回の入力操作に基づき電源オンと録画予約モードの実行とを指示し、
録画予約情報の設定操作に基づき録画予約情報を設定し、
前記設定録画予約情報を表示し、
前記設定録画予約情報を登録し、
前記設定録画予約情報に基づき録画を実行する、
ことを特徴とする番組録画方法。
【発明の詳細な説明】
【技術分野】
【０００１】
本発明は、録画予約情報に基づき番組を録画する番組録画装置及び番組録画方法に関する。
【背景技術】
【０００２】
曜日、開始時間、終了時間、及びチャンネルなどを含む録画予約情報に基づき、番組を録画する番組予約装置が開示されている（特許文献１参照）。この番組予約装置は、予約ボタンが配置された操作パネル及び表示部を備えており、予約ボタンの押下に対応して履歴データリストの中から予約データを読み出し、予約データ中の曜日、開始時間、終了時間、及びチャンネルを表示する。ユーザは、操作パネルを介して、表示された曜日、開始時間、終了時間、及びチャンネルを任意に変更するだけで、録画予約の設定を完了することができる。
【０００３】
また、近年では、録画予約設定をより簡単にするために、電子番組ガイド（ＥＰＧ）を利用した番組予約が可能な番組録画機器が登場している。電子番組ガイドは、ＴＶ放送又はネットワークを介して取得することができ、各チャンネルの各番組の放送スケジュール（放送開始時間及び放送終了時間など）を含む。番組録画機器は、電子番組ガイドに基づき番組ガイドを表示するための番組ガイド表示情報を出力することができ、ＴＶ等の外部ディスプレイはこの番組ガイド表示情報に基づき番組ガイドを表示することができる。
【０００４】
外部ディスプレイで表示される番組ガイドは、各チャンネルの各番組の放送スケジュールを含む。ユーザは、番組録画機器に付属のリモートコントローラ等を利用し、放送スケジュールの中から録画したい番組（録画したい番組の欄）を選択するだけで、録画予約を設定することができる。
【特許文献１】特開平１１−２８３２９２
【発明の開示】
【発明が解決しようとする課題】
【０００５】
上記した特許文献１には、電源ボタンによる電源のオン／オフに関する記述はないが、一般的に番組録画機器には電源ボタンが設けられており、ユーザは電源ボタンにより番組録画機器の電源をオンしてから、番組録画機器の操作パネル又はリモートコントローラ等を利用して予約ボタンを押下するなどして録画予約の設定を開始する。つまり、電源オフ状態の番組録画機器に対して録画予約情報を設定しようとした場合、電源ボタンによる電源オン操作と、予約ボタンによる予約モードの実行操作が必要となる。
【０００６】
また、上記した電子番組ガイドを利用した録画予約の場合には、外部ディスプレイを利用するため外部ディスプレイが利用可能な状態になっている必要がある。つまり、外部ディスプレイが電源オンの状態になっている必要がある。しかも、外部ディスプレイに電子番組ガイドを表示するため、この外部ディスプレイで番組を視聴している場合には、番組視聴が遮られてしまうこともあり得る。
【０００７】
本発明の目的は、録画予約時の操作負担の軽減を図るとともに、外部ディスプレイを利用することなく簡単に録画予約することが可能な番組録画装置及び番組録画方法を提供することにある。
【課題を解決するための手段】
【０００８】
この発明の一実施形態に係る番組録画装置は、１回の入力操作に基づき電源オンと録画予約モードの実行とを指示する録画予約指示手段と、録画予約情報を表示する表示手段と、録画予約情報の設定操作に基づき録画予約情報を設定する録画予約設定手段と、前記録画予約指示手段による電源オンと前記録画予約モードの実行及び前記録画予約設定手段による録画予約情報の設定に基づき前記表示手段による設定録画予約情報の表示を制御し、前記設定録画予約情報を登録し、前記設定録画予約情報に基づき録画を制御する録画制御手段と、前記録画制御手段の録画制御に基づき番組を録画する録画手段と、を備える。
【０００９】
この発明の一実施形態に係る番組録画方法は、１回の入力操作に基づき電源オンと録画予約モードの実行とを指示し、録画予約情報の設定操作に基づき録画予約情報を設定し、前記設定録画予約情報を表示し、前記設定録画予約情報を登録し、前記設定録画予約情報に基づき録画を実行する。
【発明の効果】
【００１０】
本発明によれば、録画予約時の操作負担の軽減を図ることが可能な番組録画装置及び番組録画方法を提供できる。
【発明を実施するための最良の形態】
【００１１】
以下、図面を参照し、本発明の実施形態について説明する。
【００１２】
図２は、本発明の一実施形態に係る映像記録再生装置（番組録画装置）の概略構成を示すブロック図である。図２に示すように映像記録再生装置１００は、本体キー入力部１、本体表示部３、サブ制御モジュール４、メイン制御モジュール５、電源部６、データ蓄積部７、チューナー部８、光ディスクドライブ９、ＨＤＤ（ハードディスクドライブ）１０を備えている。
【００１３】
サブ制御モジュール４は、本体キー入力検出モジュール４１、リモートコントローラキー入力検出モジュール４２、電源制御モジュール４３を備えている。また、メイン制御モジュール５は、記録処理モジュール５１、映像、音声処理モジュール５２、映像音声入出力制御モジュール５３を備えている。
【００１４】
例えば、図３に示すように、本体キー入力部１は、電源キー１１、予約キー１２、設定キー１３、取出しキー１４などが設けられている。ユーザは、本体キー入力部１に対する入力操作により、映像記録再生装置１００の動作を制御することができる。
【００１５】
電源キー１１は、映像記録再生装置１００の電源オン／オフを指示するためのキーである。電源キー１１が押下されると、電源キー１１の押下がサブ制御モジュール４の本体キー入力検出モジュール４１により検出され、サブ制御モジュール４の電源制御モジュール４３が電源部６に対して電源オン／オフの切り替えを通知する。電源部６は、電源オフ状態であれば電源をオンし、電源オン状態であれば電源をオフする。
【００１６】
予約キー１２は、映像記録再生装置１００の電源オン状態では録画予約モードの実行を指示し、映像記録再生装置１００の電源オフ状態（図１に示す状態Ａ）では電源オンと録画予約モードの実行を指示する。予約キー１２は、録画予約モードの実行状態（図１に示す状態Ｂ）では録画予約モードの終了と電源オフとを指示する。
【００１７】
サブ制御モジュール４による状態Ａの検出中に、予約キー１２が押下されると、予約キー１２の押下がサブ制御モジュール４の本体キー入力検出モジュール４１により検出され、電源制御モジュール４３が電源部６に対して電源オンを通知し、電源部６は電源をオンし、さらに、サブ制御モジュール４は録画予約モードの実行をメイン制御モジュール５へ通知し、メイン制御モジュール５の記録処理モジュール５１は録画予約モードを実行する。録画予約モードの詳細については後述する。
【００１８】
サブ制御モジュール４による状態Ｂの検出中に、予約キー１２が押下されると、予約キー１２の押下がサブ制御モジュール４の本体キー入力検出モジュール４１により検出され、サブ制御モジュール４は録画予約モードの終了をメイン制御モジュール５へ通知し、メイン制御モジュール５の記録処理モジュール５１は録画予約モードを終了し、さらに、電源制御モジュール４３が電源部６に対して電源オフを通知し、電源部６は電源をオフする。
【００１９】
設定キー１３は、上下方向キー、左右方向キー、決定キー等により構成されており、後述する録画予約情報の設定等に利用される。設定キー１３（上下方向キー、左右方向キー、決定キー）が押下されると、設定キー１３の押下がサブ制御モジュール４の本体キー入力検出モジュール４１により検出され、サブ制御モジュール４は設定キー１３の押下に対応した指示をメイン制御モジュール５へ通知する。設定キー１３を利用した、録画予約情報の設定等については後に詳しく説明する。
【００２０】
取出しキー１４は、光ディスクドライブ９の光ディスクトレイの出し入れを指示するためのキーである。取出しキー１４の押下に対応して、光ディスクトレイが排出されたり、取り込まれたりする。取出しキー１４の押下に対応した信号処理の詳細については上記と同様であり、ここではその詳細説明は省略する。
【００２１】
上記した本体キー入力部１の他に、ユーザは、リモートコントローラ２に対する入力操作により、映像記録再生装置１００の動作を制御することもできる。図５は、リモートコントローラ２のキー配列の一例を示す図であり、図５に示すように、リモートコントローラ２は、電源キー２１、予約キー２２、設定キー２３、開閉キー２４、放送切換キー２５、ドライブ切換キー２６、早戻しキー２７ａ、再生キー２７ｂ、早送りキー２７ｃ、停止キー２７ｄ、一時停止キー２７ｅ、録画キー２８などを備えている。なお、図５は、リモートコントローラ２のキー配列の一部を示す図であり、リモートコントローラ２は上記したキー以外にも多数のキーを備えている。
【００２２】
電源キー２１は、映像記録再生装置１００の電源オン／オフを指示するためのキーである。電源キー２１が押下されると、電源キー２１の押下がサブ制御モジュール４のリモートコントローラキー入力検出モジュール４２により検出され、サブ制御モジュール４の電源制御モジュール４３が電源部６に対して電源オン／オフの切り替えを通知する。電源部６は、電源オフ状態であれば電源をオンし、電源オン状態であれば電源をオフする。
【００２３】
予約キー２２は、映像記録再生装置１００の電源オン状態で録画予約モードの実行を指示する。予約キー２２が押下されると、予約キー２２の押下がサブ制御モジュール４のリモートコントローラ入力検出モジュール４２により検出され、サブ制御モジュール４は録画予約モードの実行をメイン制御モジュール５へ通知し、メイン制御モジュール５の記録処理モジュール５１は録画予約モードを実行する。録画予約モードの詳細については後述する。
【００２４】
設定キー２３は、上下方向キー、左右方向キー、決定キー等により構成されており、各種設定等に利用される。設定キー２３（上下方向キー、左右方向キー、決定キー）が押下されると、設定キー２３の押下がサブ制御モジュール４のリモートコントローラ入力検出モジュール４２により検出され、サブ制御モジュール４は設定キー２３の押下に対応した指示をメイン制御モジュール５へ通知する。
【００２５】
開閉キー２４は、光ディスクドライブ９の光ディスクトレイの出し入れを指示するためのキーである。取出しキー２４の押下に対応して、光ディスクトレイが排出されたり、取り込まれたりする。取出しキー２４の押下に対応した信号処理の詳細については上記と同様であり、ここではその詳細説明は省略する。
【００２６】
放送切換キー２５は、地上デジタル放送、ＢＳ放送、ＣＳ放送の切り換えを指示する。例えば、チューナー部８は、地上デジタル放送用のチューナー、ＢＳ／ＣＳ用のチューナーを備える。地上デジタル放送への切り換え指示に基づき、映像、音声入出力制御モジュール５３は、チューナー部８の地上デジタル放送用のチューナーからの映像、音声信号をモニター２００へ出力する。ＢＳ放送／ＣＳ放送への切り換え指示に基づき、映像、音声入出力制御モジュール５３は、チューナー部８のＢＳ／ＣＳ用のチューナーからの映像、音声信号を外部モニター２００へ出力する。
【００２７】
ドライブ切換キー２６は、光ディスクドライブ９とＨＤＤ１０の切り換えを指示する。光ディスクドライブ９への切り換え指示に基づき、映像、音声入出力制御モジュール５３は、光ディスクドライブ９からの映像、音声信号をモニター２００へ出力する。ＨＤＤ１０への切り換え指示に基づき、映像、音声入出力制御モジュール５３は、ＨＤＤ１０からの映像、音声信号をモニター２００へ出力する。
【００２８】
早戻しキー２７ａは、再生中の番組の早戻しを指示する。再生キー２７ｂは、選択した番組の再生を指示する。早送りキー２７ｃは、再生中の番組の早送りを指示する。録画キー２８は、選局中の番組の録画を指示する。停止キー２７ｄは、再生又は録画の停止を指示する。一時停止キー２７ｅは、再生中の番組の再生一時停止を指示する。
【００２９】
映像、音声処理モジュール５２は、早戻しの指示に基づき再生中の番組の早戻しを制御し、再生指示に基づき選択した番組の再生を制御し、早送りの指示に基づき再生中の番組の早送りを制御し、停止指示に基づき番組の再生の停止を制御し、一時停止指示に基づき番組の再生の一時停止を制御する。記録処理モジュール５１は、録画の指示に基づき選局中の番組の録画を制御する。
【００３０】
また、映像、音声処理モジュール５２は、チューナー部８を介して入力される放送信号に含まれる電子番組ガイドを取得することができ、取得した電子番組ガイドに基づき番組ガイドを表示するための番組ガイド表示情報を生成することができる。映像、音声入出力制御モジュール５３は、番組ガイド表示情報をモニター２００へ出力することができ、これにより、モニター２００は番組ガイド表示情報に基づき番組ガイドを表示することができる。モニター２００で表示される番組ガイドは、各チャンネルの各番組の放送スケジュールを含み、ユーザは、リモートコントローラ２等を利用し、放送スケジュールの中から録画したい番組（録画したい番組の欄）を選択するだけで、録画予約を設定することができる。録画予約の設定は、記録処理モジュール５１により管理される。
【００３１】
次に、図３及び図４を参照して、本体表示部３について説明する。図３及び図４に示すように本体表示部３は、第１の表示エリア３１及び第２の表示エリア３２を備えている。第１の表示エリア３１は、例えば、録画予約情報に含まれる曜日、放送種別（地上デジタル放送／ＢＳ放送／ＣＳ放送）、チャンネル番号、日時（録画日及び録画開始時刻など）、カレントエンコーダを表示する。例えば、記録処理モジュール５１が第１、第２のエンコードを備えている場合であって、第１のエンコーダが選択されていればカレントエンコーダとして第１のエンコーダの選択が表示され、第２のエンコーダが選択されていればカレントエンコーダとして第２のエンコーダの選択が表示される。
【００３２】
第２の表示エリア３２は、チャンネル番号に対応した放送局名、録画番組タイトルを表示する。なお、本体表示部３は、映像記録再生装置１００の筐体の前面の一部に配置されるため、表示エリアは比較的狭い。そのため、第２の表示エリア３２の表示エリアも比較的狭く、第２の表示エリア３２は、録画番組タイトルの全てを同時に表示できない場合がある。このような場合、第２の表示エリア３２は、録画番組タイトルをスクロール表示し、録画番組タイトルの未表示部分を順に表示する。
【００３３】
次に、図６を参照して、電源オフ状態からの録画予約について説明する。図６に示すように、映像記録再生装置１００が電源オフ状態である場合（ＳＴ１１）、つまりサブ制御モジュール４又はメイン制御モジュール５のタイマーマイクロコンピュータに通電された状態である場合（ＳＴ１１）に、予約キー１２が押下されると（ＳＴ１２、ＹＥＳ）、電源オン状態へ移行し、機能待機中の本体での録画予約モードが起動する（ＳＴ１３）。
【００３４】
録画予約モードでは、本体表示部３がアクティブな状態になり、本体表示部３に録画予約候補情報が表示される。この場合、映像、音声入出力制御モジュール５３は、録画予約候補情報をモニター２００へ出力しない。つまり、モニター２００を利用することなく本体表示部３だけで録画予約を設定することができる。これにより、モニター２００が電源オン状態でなくても、録画予約を設定することができる。また、モニター２００により番組を視聴している場合には、番組視聴を妨げることなく、録画予約を設定することができる。同様に、モニター２００により録画中の番組が表示されている場合でも、録画予約を設定することができる。なお、映像、音声入出力制御モジュール５３が、録画予約候補情報をモニター２００へ出力し、モニター２００と本体表示部３とを併用して録画予約を設定するようにしてもよい。
【００３５】
記録処理モジュール５１が、チャンネル番号選局履歴、現在日時、電子番組ガイドに基づき上記した録画予約候補情報を生成する。例えば、直前に地上デジタル放送のチャンネル番号１が選局されており、現在日時が１月１日の７：００であり、電子番組ガイド上で地上デジタル放送のチャンネル番号１の１月１日の７：００（例えば６：００〜７：５４）に番組タイトル「おはよう」の放送が示されている場合には、録画予約候補情報は地上デジタル放送、チャンネル番号１、チャンネル番号１の放送局名、番組タイトル「おはよう」を含み、図３に示すように、本体表示部３に録画予約候補情報が表示される。
【００３６】
本体表示部３に表示された録画予約候補情報で示された番組を録画したい場合には、ユーザは、設定キー１３の決定キーを押下する。これに対応して、表示エリア３２には、例えば「番組を予約しました」のメッセージが表示される。記録処理モジュール５１は、録画予約候補情報をそのまま登録し、録画予約候補情報に基づく録画を制御する。このケースでは、直ちに、番組タイトル「おはよう」の録画が開始され、例えば、ＨＤＤ１０によりハードディスクに対して番組データ（映像、音声）が記録される。なお、予め記録先として光ディスクを指定することにより、光ディスクドライブ９により光ディスクに対して番組データを記録することもできる。
【００３７】
本体表示部３に表示された録画予約候補情報で示された番組と異なる番組を録画したい場合には、ユーザは、設定キー１３を利用して、録画したい番組を設定する。例えば、設定キー１３の左右方向キーの押下により、第１の表示エリア３１中の曜日設定項目、放送種別設定項目、チャンネル番号設定項目、日時設定項目が順に選択される。例えば、選択中の項目表示は点滅する。曜日設定項目を選択した状態で（曜日設定項目の表示が点滅した状態で）、設定キー１３の上下方向キーが押下されると、曜日設定項目には、例えば毎週月曜日、毎週火曜日、…、毎週日曜日、月曜〜金曜日、月曜〜土曜日、土曜と日曜、毎日などが表示される。放送種別設定項目を選択した状態で、設定キー１３の上下方向キーが押下されると、放送種別設定項目には、例えば地上デジタル放送、ＢＳ放送、ＣＳ放送などが順に表示される。チャンネル番号設定項目を選択した状態で、設定キー１３の上下方向キーが押下されると、チャンネル番号設定項目には、例えば１ｃｈ、２ｃｈ、４ｃｈ、…、７ｃｈなどが順に表示される。日時設定項目を選択した状態で、設定キー１３の上下方向キーが押下されると、日時設定項目に表示された日時が未来の日時又は過去の日時へ遷移する。
【００３８】
第２の表示エリア３２中のチャンネル番号に対応した放送局名の表示、番組タイトルの表示は、第１の表示エリア３１中の表示に対応して遷移する。例えば、第１の表示エリア３１の表示が地上デジタル放送、４ｃｈ、１月２日、９：００に設定されると、第２の表示エリア３２には、地上デジタル放送の４ｃｈに対応した放送局名が表示され、地上デジタル放送、４ｃｈ、１月２日、９：００に放送されている番組タイトルが表示される。つまり、ユーザは、第１の表示エリア３１中の各項目を上下キーで設定するだけで、第２の表示エリア３２に表示される番組タイトルを確認することができる。
【００３９】
本体表示部３の表示エリア３２に録画したい番組タイトルが表示されたとき、ユーザは、設定キー１３の決定キーを押下する。これに対応して、表示エリア３２には、例えば「番組を予約しました」のメッセージが表示される。記録処理モジュール５１は、本体表示部３に表示された録画予約情報を登録し、録画予約情報に基づく録画を制御する。例えば、ＨＤＤ１０によりハードディスクに対して番組データ（映像、音声）が記録される。なお、予め記録先として光ディスクを指定することにより、光ディスクドライブ９により光ディスクに対して番組データを記録することもできる。
【００４０】
決定キー１３の押下後は、さらに、録画予約を受け付けることを示すために、例えば、第１の表示エリア３１中の曜日設定項目の表示が点滅する。その後、所定期間（例えば５分）にわたり電源オン操作がなければ（ＳＴ１４、ＮＯ）、つまり、所定期間にわたり電源キー１１が押下されなければ、電源オフ状態へ移行する（ＳＴ１１）。所定期間内に電源オン操作があれば（ＳＴ１４、ＹＥＳ）、つまり、所定期間内に電源キー１１が押下されれば、例えば、表示エリア３２には、例えば「電源オン状態を継続します」のメッセージが表示され、電源オン状態が継続する（ＳＴ１５）。
【００４１】
なお、録画予約モードの実行中は、本体キー入力部１（設定キー１３等）は、録画予約設定に使用される。また、本体表示部３を利用した録画予約設定時には、リモートコントローラ２の各キーによる入力を無効とするようにしてもよい。
【００４２】
以上により、電源オフ状態の映像記録再生装置１００に対して録画予約を設定しようとした場合に、電源キー１１を押下しなくても、予約キー１２を押下するだけで（ワンタッチ操作で）、録画予約モードを実行することができる。これによりユーザの操作負担が軽減される。
【００４３】
次に、図７を参照して、電源オン状態からの録画予約について説明する。図７に示すように、映像記録再生装置１００が電源オン状態である場合に（ＳＴ２１）、予約キー１２が押下されると（ＳＴ２２、ＹＥＳ）、録画予約モードが起動する（ＳＴ２３）。
【００４４】
録画予約モードでは、本体表示部３がアクティブな状態になり、本体表示部３に録画予約候補情報が表示される。この場合も、この場合、映像、音声入出力制御モジュール５３は、録画予約候補情報をモニター２００へ出力しない。つまり、モニター２００を利用することなく本体表示部３だけで録画予約を設定することができる。これにより、モニター２００が電源オン状態でなくても、録画予約を設定することができる。また、モニター２００により番組を視聴している場合には、番組視聴を妨げることなく、録画予約を設定することができる。なお、映像、音声入出力制御モジュール５３が、録画予約候補情報をモニター２００へ出力し、モニター２００と本体表示部３とを併用して録画予約を設定するようにしてもよい。
【００４５】
なお、録画予約モードでの録画予約の設定の詳細は上記説明した通りであり、ここでは録画予約の設定の詳細説明は省略する。
【００４６】
録画予約の設定が完了し、決定キー１３の押下後は、さらに、録画予約を受け付けることを示すために、例えば、第１の表示エリア３１中の曜日設定項目の表示が点滅する。その後は、電源オン状態が継続する（ＳＴ２３）。つまり、もともと電源オン状態で予約キー１２が押下され録画予約モードが実行されたため、元の状態である電源オン状態に戻り、電源オン状態が継続する。
【００４７】
以上により、ユーザは、簡単操作（１回操作）で電源オフ状態の映像記録再生装置１００の予約録画モードを起動することができ、さらに簡単操作で録画予約を設定することができる。
【００４８】
また、映像記録再生装置１００は、電源オフ状態から録画予約を開始した場合には、所定期間にわたり操作入力がなければ元の電源オフ状態へ戻り、電源オン状態から録画予約を開始した場合には所定期間にわたり操作入力がなくとも元の電源オン状態を継続する。つまり、ユーザが何らかの操作をしなくても、映像記録再生装置１００が元の状態に戻るため、電源の切り忘れを防止することもできるし、電源の入れ直し操作も不要となる。
【００４９】
また、映像記録再生装置１００は、モニター２００の状態（電源オンの状態／電源オフの状態）に関係なく、本体表示部３により録画予約を設定することができる。これにより、モニター２００により番組を視聴している場合であっても、その番組の視聴が妨げられることもなく、モニター２００により録画番組が表示されている場合であっても、その録画中番組の表示が妨げられることもない。
【００５０】
また、映像記録再生装置１００は、電子番組ガイドに基づき本体表示部３に番組タイトル等を表示するので、ユーザは、簡単操作で確実に録画したい番組の予約録画を設定することができる。
【００５１】
上記説明では、モニター２００を利用せずに、本体表示部３を利用した録画予約について説明したが、本実施形態はこれだけに限定されるものではない。例えば、本体表示部３とモニター２００とを併用することもできる。
【００５２】
本体表示部３は、映像記録再生装置１００の筐体の前面の一部に配置されるため、表示エリアは比較的狭い。そのため、第２の表示エリア３２の表示エリアも比較的狭く、第２の表示エリア３２は、録画番組タイトルの全てを同時に表示できない場合がある。このような場合、第２の表示エリア３２は、録画番組タイトルをスクロール表示する。これに対して、モニター２００の表示エリアは比較的広い。そのため、モニター２００の表示エリアは、ほぼ録画番組タイトルの全てを同時に表示することができる。
【００５３】
そこで、映像記録再生装置１００が、録画予約モードの起動時に、本体表示部３に録画予約候補情報を表示するとともに、モニター２００に対しても録画予約候補情報を出力（表示）するようにしてもよい。また、本体表示部３の表示（録画予約候補情報）とモニター２００の表示（録画予約候補情報）とは連動する。つまり、本体表示部３の表示が更新（変更）されると、モニター２００の表示も同様に更新（変更）される。また、本体表示部３に表示される録画予約候補情報は、録画番組タイトルの少なくとも一部を含む。つまり、録画番組タイトルが長い場合には、本体表示部３は、最初に録画番組タイトルの一部を表示し、時間経過とともに録画番組タイトルをスクロールして未表示部分を表示する。これに対して、モニター２００は、録画番組タイトルの全てを表示する。但し、録画番組タイトルが極端に長い場合には、モニター２００も、最初に録画番組タイトルの一部を表示し、時間経過とともに録画番組タイトルをスクロールして未表示部分を表示することになる。このように、本体表示部３とモニター２００とを併用することにより、ユーザの好みに応じた録画操作が可能となる。
【００５４】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００５５】
【図１】本発明の一実施形態に係る映像記録再生装置の動作遷移図である。
【図２】本発明の一実施形態に係る映像記録再生装置の概略構成を示す図である。
【図３】本発明の一実施形態に係る映像記録再生装置の筐体前面に設けられた本体キー入力部及び本体表示部の一例を示す図である。
【図４】本発明の一実施形態に係る映像記録再生装置の筐体前面に設けられた本体表示部の表示エリアを説明するための図である。
【図５】本発明の一実施形態に係る映像記録再生装置に付属のリモートコントローラの一部を示す図である。
【図６】電源オフ状態からの録画予約の一例を示すフローチャートである。
【図７】電源オン状態からの録画予約の一例を示すフローチャートである。
【符号の説明】
【００５６】
１…本体キー入力部、２…リモートコントローラ、３…本体表示部、４…サブ制御モジュール、５…メイン制御モジュール、６…電源部、７…データ蓄積部、８…チューナー部、９…光ディスクドライブ、１０…ＨＤＤ（ハードディスクドライブ）
【図１】
2010166321.tif 000003
【図２】
2010166321.tif 000004
【図３】
2010166321.tif 000005
【図４】
2010166321.tif 000006
【図５】
2010166321.tif 000007
【図６】
2010166321.tif 000008
【図７】
2010166321.tif 000009